(57)【要約】      （修正有）【課題】ガラス窓や壁面等の平滑面に対して、簡単かつ綺麗に貼付作業および剥離作業を行うことができ、何度も繰り返し再利用することができるクリアフォルダーを提供する。【解決手段】クリアフォルダー１は、所望の情報が表示された表示シートを狭持可能な収容部を有する一対の透明板１１，１１を有しており、一方の透明板１１の表面には再粘着性と再剥離性を兼ね備えたドット状の透明樹脂材群１３が設けられている。【選択図】図１
0003164148.tif 000002
【実用新案登録請求の範囲】
【請求項１】
所望の情報が表示された表示シートを狭持可能な収容部を有する一対の透明板を有しており、一方の前記透明板の表面には再粘着性と再剥離性を兼ね備えたドット状の透明樹脂材群が設けられているクリアフォルダー。
【請求項２】
前記透明樹脂材群を構成する個々の透明樹脂材は、略中央部が凹んだ吸盤状に形成されている請求項１に記載のクリアフォルダー。
【請求項３】
前記透明板の表面に対する前記透明樹脂材群の面積比率が、３０〜７０％である請求項１または請求項２に記載のクリアフォルダー。
【考案の詳細な説明】
【技術分野】
【０００１】
本考案は、クリアフォルダーに関し、特に、所望の情報が記載された表示シートを収納するとともに、ガラス窓や壁面等の平滑面に着脱可能なクリアフォルダーに関するものである。
【背景技術】
【０００２】
従来、不動産物件や飲食店のお薦めメニュー等の広告印刷物をガラス窓や壁面にテープ等で貼り付けて店外の通行人に見せたり、店内の来客者に見せるための技術が提案されている。例えば、実用新案登録３１５８５４２号公報には、透明ビニール等の透明なシートを貼り合わせて、一部に開口部を設けたファイルにポスターやチラシ等の印刷物を収納して、ガラス窓やガラスドア等に接着剤や両面テープ、吸盤により屋内側面に貼り付けることを特徴とする印刷物収納ファイルが記載されている（特許文献１）。
【先行技術文献】
【特許文献】
【０００３】
【特許文献１】実用新案登録３１５８５４２号公報
【考案の概要】
【考案が解決しようとする課題】
【０００４】
しかしながら、上記特許文献１では、貼り付けるための接着部材として、接着剤や両面テープ、吸盤を用いている。このため、貼付作業および剥離作業の双方において、手間と時間がかかるという問題がある。また、上記印刷物収納ファイルを屋内側面から剥がした場合、その壁面に接着剤や両面テープが残留しやすく、除去するのが大変であるという問題がある。しかも接着剤や両面テープの場合には、繰り返し再利用ができないという欠点がある。
【０００５】
また、上記特許文献１の印刷物収納ファイルは、単にビニール製のシートを貼り合わせたものであるため、それ自体が破れやすく再利用に不向きである。したがって、接着剤や両面テープにより貼り付けた場合には、剥がす際にシートが破れるおそれがあるし、吸盤を使用する場合には、強度上、シートが耐えられないために再利用が不可能である。
【０００６】
本考案は、このような問題点を解決するためになされたものであって、ガラス窓や壁面等の平滑面に対して、簡単かつ綺麗に貼付作業および剥離作業を行うことができ、何度も繰り返し再利用することができるクリアフォルダーを提供することを目的としている。
【課題を解決するための手段】
【０００７】
本考案に係るクリアフォルダーは、所望の情報が表示された表示シートを狭持可能な収容部を有する一対の透明板を有しており、一方の前記透明板の表面には再粘着性と再剥離性を兼ね備えたドット状の透明樹脂材群が設けられている。
【０００８】
また、本考案の一態様として、前記透明樹脂材群を構成する個々の透明樹脂材は、略中央部が凹んだ吸盤状に形成されていることが好ましい。
【０００９】
さらに、本考案の一態様として、前記透明板の表面に対する前記透明樹脂材群の面積比率が、３０〜７０％であることが好ましい。
【考案の効果】
【００１０】
本考案によれば、ガラス窓や壁面等の平滑面に対して、簡単かつ綺麗に貼付作業および剥離作業を行うことができ、何度も繰り返し再利用することができる。
【図面の簡単な説明】
【００１１】
【図１】本考案に係るクリアフォルダーの一実施形態を示す正面図である。
【図２】図１におけるＡ−Ａ線の拡大断面図である。
【図３】図１におけるＢ−Ｂ線の拡大断面図である。
【図４】図１におけるＣ−Ｃ線の拡大断面図である。
【図５】本実施形態のクリアフォルダーにおいて、（ａ）表示シートを狭持させる状態、および（ｂ）ガラスドアの内面に貼り付けた状態を示す図である。
【考案を実施するための形態】
【００１２】
以下、本考案に係るクリアフォルダーの実施形態について図面を用いて説明する。
【００１３】
本実施形態のクリアフォルダー１は、所望の情報が表示された表示シート２を収容するとともに、ガラス窓や壁面等のように平滑面を有する被貼付物３に貼り付けて使用するものであり、図１から図３に示すように、主として、一対の透明板１１，１１と、これら透明板１１，１１の間に狭持されるスペーサー１２と、一方の透明板１１の表面にドット状に設けられた透明樹脂材群１３とから構成されている。以下、各構成部について詳細に説明する。
【００１４】
なお、本考案において、表示シート２とは、コピー用紙やチラシ等のようにシート状に形成されているものであって、広告や宣伝等の他、所望の情報を表示する全ての表示媒体を含む概念である。
【００１５】
一対の透明板１１，１１は、所望の情報を表示する表示シート２を狭持し、外部から視認させるためのものである。本実施形態において、各透明板１１は、透明な材料によって矩形の薄板状に形成されている。透明な材料としては、耐性やリサイクル性を考慮して、ポリエチレンテレフタレート（ＰＥＴ）等のポリエステル樹脂を使用している。また、一方の透明板１１の表面には、透明樹脂材群１３の付着性を向上するための表面処理が施されていてもよい。
【００１６】
なお、透明板１１の材料は、透明であれば上記に限定されるものではなく、ジアセテート樹脂、トリアセテート樹脂、セルロースエステル樹脂、ポリオレフィン樹脂、アクリル樹脂、ポリカーボネート樹脂、ポリ塩化ビニル、ポリイミド樹脂、プラスチック樹脂等でもよい。
【００１７】
スペーサー１２は、一対の透明板１１，１１の間に表示シート２を狭持させるための隙間を形成して貼り合わせるためのものである。本実施形態において、スペーサー１２は、図１に示すように、各透明板１１の左右端部に狭持される左右スペーサー１２ａと、各透明板１１の下端部に狭持される下部スペーサー１２ｂとを有している。そして、各透明板１１の左右端部および下端部に狭持させて貼り合わせることにより、図２および図３に示すように、表示シート２を狭持可能な収容部１４が形成される。
【００１８】
なお、本実施形態では、各透明板１１の左右端部および下端部をスペーサー１２で貼り合わせて収容部１４を構成しているが、表示シート２を狭持可能な限り、上記の構成に限定されるものではない。例えば、表示シート２が落下しなければ、下端部と左右端部のいずれか、あるいは下端部のみが貼り合わされている構成であってもよい。また、スペーサー１２を使用せず、各透明板１１の端部同士を直接貼り合わせるようにしてもよい。
【００１９】
透明樹脂材群１３は、クリアフォルダー１を被貼付物３に対して着脱可能にするためのものである。本実施形態において、透明樹脂材群１３は、複数個の透明樹脂材１３ａから構成されており、再粘着性と再剥離性を兼ね備えている。なお、本考案において、再粘着性とは、剥離した後、再び被貼付物３に粘着し易い特性のことをいい、再剥離性とは、被貼付物３から剥離した場合に、被貼付物３に透明樹脂材１３が残留し難い特性のことをいう。
【００２０】
また、本実施形態において、透明樹脂材群１３は、図１に示すように、一方の透明板１１の表面に対して、スクリーン印刷によって立体的な複数のドット状に設けられている。透明樹脂材群１３を構成する個々の透明樹脂材１３ａは、図４に示すように、略中央部が凹んだ吸盤状に形成されており、ガラス窓や壁面等の平滑面に対して付着するようになっている。
【００２１】
また、本実施形態において、透明樹脂材群１３のドットパターンは、透明板１１の表面に対する透明樹脂材群１３の面積比率が３０〜７０％となるように形成されている。当該面積比率が３０％以上であれば、クリアフォルダー１を保持しうる粘着力を確保できるとともに、当該面積比率が７０％以下であれば、透明樹脂材群１３にかかるコストを抑えられるからである。
【００２２】
なお、本実施形態では、透明樹脂材群１３として、紫外線硬化型の透明な粘着性樹脂を使用しているが、透明で再剥離性と再粘着性を兼ね備えたものであればよい。また、本実施形態では、透明樹脂材群１３をドットパターン化しているが、各ドットは円形状でなくてもよい。さらに、本実施形態では、透明樹脂材群１３をスクリーン印刷によって塗工しているが、他の塗工方法でもよい。
【００２３】
つぎに、以上の構成を備えた本実施形態のクリアフォルダー１による作用について、図５を参照しつつ説明する。なお、以下の説明では、被貼付物３としてガラスドア３の内面に貼り付けて使用する場合について説明する。
【００２４】
本実施形態のクリアフォルダー１を使用する場合、まず、一対の透明板１１，１１により構成された収容部１４に表示シート２を狭持させる。これにより、表示シート２が各透明板１１と面接触した状態で狭持されるため、褪色等の劣化が抑制されるとともに脱落しにくい。また、図５（ａ）に示すように、表示シート２の表示面が、透明樹脂材群１３が設けられている透明板１１側を向くように差し込むことで、当該表示面が透明板１１および透明樹脂材群１３を透過して視認可能となる。
【００２５】
つぎに、ガラスドア３の内面に対して、透明樹脂材群１３が設けられた側の透明板１１を押し付ける。これにより、透明樹脂材群１３がガラスドア３の内面に粘着し、図５（ｂ）に示すように、クリアフォルダー１全体を貼り付けた状態で保持する。したがって、クリアフォルダー１内に挿入された表示シート２の表示面は、透明板１１、透明樹脂材群１３およびガラスドア３を透過し、ガラスドア３の外面から視認可能となる。したがって、例えば表示シート２に不動産情報等が表示されている場合には、ガラスドア３の外を通る通行人等がその表示内容を容易に読み取ることができる。
【００２６】
一方、ガラスドア３に限らず、例えば室内の壁面に貼り付ける場合には、表示シート２をその表示面が透明樹脂材群１３の設けられていない側の透明板１１に透けるように収容する。そして、透明樹脂材群１３を壁面に付着させれば、室内側から表示シート２の内容を読み取ることができる。
【００２７】
なお、本実施形態では、透明樹脂材群１３がドット状に離散的に設けられているため、再剥離性が向上し、必要に応じて剥がしたり、貼り付け位置を調整する作業が簡単にできる。さらに、本実施形態では、個々の透明樹脂材１３ａの略中央部が凹状に形成されているため、吸盤のように機能し、再粘着性を向上させるとともに、繰り返し使用しても粘着性の低下が小さい。
【００２８】
以上のような本実施形態のクリアフォルダー１によれば、以下のような効果を奏する。
１．平滑面に対して簡単かつ綺麗に貼付作業および剥離作業を行うことができる。
２．屋内に貼り付けた状態で屋外に情報を伝達でき、風雨等による劣化や汚染を防止することができる。
３．剥がした後も透明樹脂材群１３が被貼付物３に残留することがなく、被貼付物３の美観を損ねるのを防止することができる。
４．何度も繰り返して使用することができ、省資源性および経済性を向上することができる。
【００２９】
また、上述した実施形態では、被貼付物３としてガラスドア３を使用した例について説明したが、これに限定されるものではない。すなわち、クリアフォルダー１を保持しうる程度に透明樹脂材群１３と粘着する平滑な表面を有するものであればどのようなものでもよい。
【符号の説明】
【００３０】
１  クリアフォルダー
２  表示シート
３  被貼付物（ガラスドア）
１１  透明板
１２  スペーサー
１２ａ  左右スペーサー
１２ｂ  下部スペーサー
１３  透明樹脂材群
１３ａ  各透明樹脂材
１４  収容部
【図１】
0003164148.tif 000003
【図２】
0003164148.tif 000004
【図３】
0003164148.tif 000005
【図４】
0003164148.tif 000006
【図５】
0003164148.tif 000007
【手続補正書】
【提出日】平成22年10月5日(2010.10.5)
【手続補正１】
【補正対象書類名】図面
【補正対象項目名】図５
【補正方法】変更
【補正の内容】
【図５】
0003164148.tif 000008